【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
少なくとも１つの第１のチューナと第２のチューナと復調器とを備えた信号受信マルチチューナ・システムであって、
前記第１のチューナが、第１の受信信号の周波数を第１の変換周波数に変換するように適合化されており、前記第１のチューナが、第１の局部発振器周波数で動作する第１の局部発振器を有し、
前記第２のチューナが、第２の受信信号の周波数を第２の変換周波数に変換するように適合化されており、前記第２のチューナが、第２の局部発振器周波数で動作する第２の局部発振器を有し、
前記第２の局部発振器周波数が、前記第１の局部発振器周波数と連続的に時間と共に変化するオフセット周波数との和に等しく、前記復調器が、前記第２のチューナからの信号を復調するように適合化されている、前記信号受信マルチチューナ・システム。
【請求項２】
前記第１のチューナと前記第２のチューナが同一タイプである、請求項１に記載の信号受信マルチチューナ・システム。
【請求項３】
前記連続的に時間と共に変化するオフセット周波数が前記第２の受信信号のシンボル周波数に依存する、請求項１または２に記載の信号受信マルチチューナ・システム。
【請求項４】
前記連続的に時間と共に変化するオフセット周波数が三角波形に従って変化する、請求項１〜３のうちいずれか１項に記載の信号受信マルチチューナ・システム。
【請求項５】
前記連続的に時間と共に変化するオフセット周波数が連続レベルで変化する、請求項１〜４のうちいずれか１項に記載の信号受信マルチチューナ・システム。
【請求項６】
前記レベルの各々が、ロッキング時間の４倍よりも長い持続期間を有し、前記ロッキング時間が、前記第２の局部発振器の前記第２の局部発振器周波数のプログラミングから前記第２の局部発振器による前記第２の局部発振器周波数の送出までの最大時間である、請求項５に記載の信号受信マルチチューナ・システム。
【請求項７】
前記レベルの各々が、ロッキング時間の１０倍よりも短い持続期間を有し、前記ロッキング時間が、前記第２の局部発振器の前記第２の局部発振器周波数のプログラミングから前記第２の局部発振器による前記第２の局部発振器周波数の送出までの最大時間である、請求項５または６に記載の信号受信マルチチューナ・システム。
【請求項８】
前記レベルの各々によって誘導される周波数のジャンプと前記レベルの各々の持続期間との割合が、毎秒７ｋＨｚ未満かそれに等しい、請求項５〜７のうちいずれか１項に記載の信号受信マルチチューナ・システム。
【請求項９】
少なくとも１つの第１のチューナと第２のチューナと復調器とを備えた信号受信マルチチューナ・システムにおいて信号を受信する方法であって、
第１の受信信号の周波数を第１の変換周波数に変換するステップであって、前記第１のチューナが第１の局部発振器周波数で動作する第１の局部発振器を有する、該ステップと、
第２の受信信号の周波数を第２の変換周波数に変換するステップであって、前記第２のチューナが第２の局部発振器周波数で動作する第２の局部発振器を有する、該ステップと、
を含み、
前記第２の局部発振器周波数が、前記第１の局部発振器周波数と連続的に時間と共に変化するオフセット周波数との和に等しい、前記方法。
【請求項１０】
前記第２のチューナからの前記第２の受信信号を復調するステップを含む、請求項９に記載の方法。
【請求項１１】
前記復調するステップが、前記連続的に時間と共に変化するオフセット周波数を復調器に送信する少なくとも１つのステップを含む、請求項１０に記載の方法。
【手続補正２】
【補正対象書類名】明細書
【補正対象項目名】００９１
【補正方法】変更
【補正の内容】
【００９１】
本発明は、上述のシステムに適合化される方法にも適用できる。この方法は、第１の実
施形態によれば、第１の局部発振器と第２の局部発振器との設定に適合化され、第２の局
部発振器の周波数が、第１の局部発振器の周波数と連続的に時間と共に変化するオフセッ
ト周波数との和に等しい。
本発明は以下の態様を含む。
（付記１）
少なくとも１つの第１のチューナ（１０１）と第２のチューナ（１０２）と復調器（１０４）とを備えた信号受信マルチチューナ・システムであって、
前記第１のチューナが、第１の受信信号の周波数を第１の変換周波数に変換するように適合化されており、前記第１のチューナ（１０１）が、第１の局部発振器周波数で動作する第１の局部発振器（１０１６）を有し、
前記第２のチューナ（１０２）が、第２の受信信号の周波数を第２の変換周波数に変換するように適合化されており、前記第２のチューナ（１０２）が、第２の局部発振器周波数で動作する第２の局部発振器（１０２６）を有し、
前記第２の局部発振器周波数が、前記第１の局部発振器周波数と連続的に時間と共に変化するオフセット周波数との和に等しく、前記復調器（１０４)が、前記第２のチューナ（１０２）からの信号を復調するように適合化されている、前記信号受信マルチチューナ・システム。
（付記２）
前記第１のチューナと前記第２のチューナが同一タイプである、付記１に記載の信号受信マルチチューナ・システム。
（付記３）
前記連続的に時間と共に変化するオフセット周波数が前記第２の受信信号のシンボル周波数に依存する、付記１または２に記載の信号受信マルチチューナ・システム。
（付記４）
前記連続的に時間と共に変化するオフセット周波数が三角波形に従って変化する、請求項１〜３のうちいずれか１項に記載の信号受信マルチチューナ・システム。
（付記５）
前記連続的に時間と共に変化するオフセット周波数が連続レベルで変化する、付記１〜４のうちいずれか１項に記載の信号受信マルチチューナ・システム。
（付記６）
前記レベルの各々が、ロッキング時間の４倍よりも長い持続期間を有し、前記ロッキング時間が、前記第２の局部発振器の前記第２の局部発振器周波数のプログラミングから前記第２の局部発振器による前記第２の局部発振器周波数の送出までの最大時間である、請求項５に記載の信号受信マルチチューナ・システム。
（付記７）
前記レベルの各々が、前記ロッキング時間の１０倍よりも短い持続期間を有する、請求項５または６に記載の信号受信マルチチューナ・システム。
（付記８）
前記レベルの各々によって誘導される周波数のジャンプと前記レベルの各々の持続期間との割合が、毎秒７ｋＨｚ未満かそれに等しい、付記５〜７のうちいずれか１項に記載の信号受信マルチチューナ・システム。
（付記９）
少なくとも１つの第１のチューナ（１０１）と第２のチューナ（１０２）と復調器（１０４）とを備えた信号受信マルチチューナ・システムにおいて信号を受信する方法であって、
第１の受信信号の周波数を第１の変換周波数に変換するステップであって、前記第１のチューナが第１の局部発振器周波数で動作する第１の局部発振器（１０１６）を有する、該ステップ（２）と、
第２の受信信号の周波数を第２の変換周波数に変換するステップであって、前記第２のチューナが第２の局部発振器周波数で動作する第２の局部発振器（１０２６）を有する、
該ステップ（３）と、
を含み、
前記第２の局部発振器周波数が、前記第１の局部発振器周波数と連続的に時間と共に変化するオフセット周波数との和に等しい、前記方法。
（付記１０）
前記第２のチューナからの前記第２の信号を復調するステップを含む、付記９に記載の方法。
（付記１１）
前記復調するステップが、前記連続的に時間と共に変化するオフセット周波数を前記復調器に送信する少なくとも１つのステップを含む、付記９または１０に記載の方法。